(57)【要約】      （修正有）【課題】ハンディ端末の未使用時に、ハンディ端末をレジカウンタ等の他の物品に、簡単かつ容易に、取り付けて保持することができるハンディ端末用保持具を提供する。【解決手段】ハンディ端末Ｈを保持するためのハンディ端末用保持具３００は、ベース部材１００には、着脱部材２００が取り付けられる取付面１１７、及び取付面側磁石１３０を設け、着脱部材２００には、取付面１１７に取り付けられる着脱面２１７、及び着脱面側磁石２３０を設ける。取付面１１７の表面形状と、着脱面２１７の表面形状とは、互いに対応した形状であり、取付面側磁石１３０と着脱面側磁石２３０との互いに引き合う磁力により、取付面１１７と着脱面２１７との表面が合致するように、着脱部材２００が、ベース部材１００に着脱可能に取り付けられる。【選択図】図１
0003181269.tif 000002
【実用新案登録請求の範囲】
【請求項１】
壁面に固定されるベース部材と、
ハンディ端末に固定され、前記ベース部材に着脱可能に取り付けられる着脱部材とを備えた、ハンディ端末を保持するためのハンディ端末用保持具であって、
前記ベース部材には、前記着脱部材が取り付けられる取付面、及び取付面側磁石を設け、
前記着脱部材には、前記取付面に取り付けられる着脱面、及び着脱面側磁石を設け、
前記取付面の表面形状と、前記着脱面の表面形状とは、互いに対応した形状であり、
前記取付面側磁石と前記着脱面側磁石との互いに引き合う磁力により、前記取付面と前記着脱面との表面が合致するように、
前記着脱部材が、前記ベース部材に着脱可能に取り付けられることを特徴とするハンディ端末用保持具。
【考案の詳細な説明】
【技術分野】
【０００１】
本考案は、ハンディ端末の未使用時に、ハンディ端末を他の物品等に保持しておくためのハンディ端末用保持具に関する。
【背景技術】
【０００２】
従来から、バーコードスキャナ等のハンディ端末を、作業員が使用しない時に、レジカウンタ等に保持しておく保持具が知られている。例えば、ハンディ端末にフックを取り付け、レジカウンタには当該フックを係止可能な係止穴等を設けるものがある。作業員はハンディ端末を使用しない時には、ハンディ端末のフックをレジカウンタの係止穴に係止させることで、ハンディ端末をレジカウンタに保持しておくことができる。
【０００３】
ただ、このフックと係止穴からなる保持具においては、作業員がフックを係止穴に係止させるという緻密な作業が必要となる。つまり、作業員は、ハンディ端末のフック先端を係止穴に挿入するために、ハンディ端末の位置及び姿勢を細かく操作する必要があり、作業が煩雑で使い勝手が悪いという問題があった。
【考案の概要】
【考案が解決しようとする課題】
【０００４】
そこで、本考案は、上記問題に鑑み、ハンディ端末の未使用時に、ハンディ端末をレジカウンタ等の他の物品に、簡単かつ容易に、取り付けて保持することができるハンディ端末用保持具を提供するものである。
【課題を解決するための手段】
【０００５】
上記課題を解決するために、本考案のハンディ端末用保持具は、壁面に固定されるベース部材と、ハンディ端末に固定され、前記ベース部材に着脱可能に取り付けられる着脱部材とを備えた、ハンディ端末を保持するための保持具であって、前記ベース部材には、前記着脱部材が取り付けられる取付面、及び取付面側磁石を設け、前記着脱部材には、前記取付面に取り付けられる着脱面、及び着脱面側磁石を設け、前記取付面の表面形状と、前記着脱面の表面形状とは、互いに対応した形状であり、前記取付面側磁石と前記着脱面側磁石との互いに引き合う磁力により、前記取付面と前記着脱面との表面が合致するように、前記着脱部材が、前記ベース部材に着脱可能に取り付けられることを特徴としている。
【０００６】
上記特徴によれば、作業員は、ハンディ端末を使用しない時に、当該ハンディ端末に固定されている着脱部材の着脱面を、レジカウンタ等に固定されているベース部材の取付面に宛がう（押し当てる）と、取付面側磁石と着脱面側磁石の磁力により、ハンディ端末は、レジカウンタに取り付けられて保持されることになる。このように、磁石を利用することで、簡単にハンディ端末を着脱可能に保持することができる。
【０００７】
さらに、取付面の表面形状と、着脱面の表面形状とは、互いに対応した形状をしており、取付面側磁石と着脱面側磁石の互いに引き合う磁力により、当該取付面と当該着脱面との表面が合致するように構成されている。したがって、ハンディ端末が、ベース部材に対して斜めに宛がわれても、磁力により、取付面と着脱面との表面が合致する位置及び姿勢（保持されるべき正しい位置及び姿勢）に修正されることになる。
【考案の効果】
【０００８】
本考案のハンディ端末用保持具によれば、ハンディ端末の未使用時に、ハンディ端末をレジカウンタ等の他の物品に、簡単かつ容易に、取り付けて保持することができるという効果を奏する。
【図面の簡単な説明】
【０００９】
【図１】（ａ）は、本考案のハンディ端末用保持具のベース部材及び着脱部材を、ハンディ端末及びレジカウンタの壁面にそれぞれ固定している全体斜視図、（ｂ）は、ハンディ端末をレジカウンタの壁面に取り付けて保持している状態の全体斜視図である。
【図２】（ａ）は、本考案のハンディ端末用保持具のベース部材の斜視図、（ｂ）は正面図、（ｃ）は側面図、（ｄ）は背面図である。
【図３】（ａ）は、本考案のハンディ端末用保持具のベース部材の上蓋部の背面側斜視図、（ｂ）は、ベース部材の下蓋部の正面側斜視図、（ｃ）は、X-X軸における断面図である。
【図４】（ａ）は、本考案のハンディ端末用保持具の着脱部材の斜視図、（ｂ）は正面図、（ｃ）は側面図、（ｄ）は背面図である。
【図５】（ａ）は、本考案のハンディ端末用保持具の着脱部材の上蓋部の背面側斜視図、（ｂ）は、着脱部材の下蓋部の正面側斜視図、（ｃ）は、Y-Y軸における断面図である。
【図６】（ａ）は、本考案のハンディ端末用保持具のベース部材の正面図、（ｂ）は、着脱部材の正面図、（ｃ）及び（ｄ）は、ベース部材に着脱部材を取り付けた状態の概念図である。
【符号の説明】
【００１０】
１００        ベース部材
１１７        取付面
１３０        取付面側磁石
２００        着脱部材
２１７        着脱面
２３０        着脱面側磁石
３００        ハンディ端末用保持具
Ｈ            ハンディ端末
【考案を実施するための形態】
【００１１】
以下に、本考案の実施の形態について、図面を用いて説明する。
【００１２】
図１（ａ）及び（ｂ）は、ハンディ端末用保持具３００のベース部材１００及び着脱部材２００が、ハンディ端末Ｈ、及びレジカウンタ等の壁面Ｗにそれぞれ固定されて実際に使用される様子を示している。
【００１３】
具体的には、ベース部材１００は、その裏面に両面テープ等が貼られ壁面Ｗに固定されており、一方、着脱部材２００は、取付バンドＢによりハンディ端末Ｈの持ち手部分に固定されている。ベース部材１００及び着脱部材２００の固定方法は、これらに限定されることなく、当業者の考えうる限り、どのような方法を採用してもよい。
【００１４】
さらに、壁面Ｗに固定されるベース部材１００は、内側へ凹んだ取付面１１７を有しており、一方、ハンディ端末Ｈに固定される着脱部材２００は、この取付面１１７の表面形状に対応した表面形状であって、突出形成された着脱面２１７を有している。また、ベース部材１００及び着脱部材２００には、それぞれ取付面側磁石１３０及び着脱面側磁石２３０が内蔵されており、互いの磁石は引き合うようになっている。
【００１５】
図１（ｂ）に示すように、作業員がハンディ端末Ｈを使用しない時は、ベース部材１００の取付面１１７に向けて、ハンディ端末Ｈの着脱部材２００の着脱面２１７を宛がうように合わせれば（凹状の取付面１１７に、凸状の着脱面２１７を嵌め入れるように）、取付面側磁石１３０及び着脱面側磁石２３０の互いに引き合う磁力により、着脱部材２００がベース部材１００に取り付けられて、ハンディ端末Ｈが壁面Ｗに容易に保持されることになる。
【００１６】
以下では、ハンディ端末用保持具３００のベース部材１００及び着脱部材２００の詳しい構造について説明する。
【００１７】
図２（ａ）は、ベース部材１００の斜視図を示している。このベース部材１００は、全体が楕円形の略ドーム形状であり、その中央位置に、後述する着脱部材２００の着脱面２１７を取り付ける取付面１１７を有している。また、ベース部材１００全体は、ＡＢＳ樹脂（アクリロニトリル、ブタジエン、スチレン共重合合成樹脂）で形成されている。
【００１８】
では、次に、この取付面１１７の形状について、図２（ｂ）のベース部材１００の平面図、及び図２（ｃ）のベース部材１００の側面図を参照して詳しく説明する。
【００１９】
取付面１１７は、傾斜面１１１と平坦面１１２を有しており、この傾斜面１１１の形状は、平面視するとＸ軸上の点Ａを中心とした半径Ｒ１の円形形状をしている。また、傾斜面１１１の表面は、外縁部１１３から平坦面１１２に向けて滑らかに傾斜している。なお、このＸ軸は、ベース部材１００を平面視した場合に、ベース部材１００の中心を通り、ベース部材１００の左側と右側とが対称となる対称軸である。
【００２０】
一方、平坦面１１２は、傾斜面１１１の円内であって、点Ａから距離Ｌ１だけ離れたＸ軸上の点Ｂを中心とした、半径Ｒ２の円形形状をしている。この平坦面１１２は、外縁部１１３より低い位置に、つまりベース部材１００の内面側に位置している。
【００２１】
このように、傾斜面１１１と平坦面１１２からなる取付面１１７の全体の形状は、内側へ滑らかに窪んだ凹状になっている。なお、後述するが、傾斜面１１１の裏面側には、その中心がＸ軸上の点Ｃ（点Ａから距離Ｌ２だけ離れている）に位置するように、取付面側磁石１３０が内蔵されている。
【００２２】
また、図２（ｃ）、及びベース部材１００の背面図を示す（ｄ）より、ベース部材１００は、上蓋体１１０と下蓋体１２０から構成されているのがわかる。この下蓋体１２０の裏面１２１に両面テープ等を張り付けることで、ベース部材１００は壁面Ｗに固定される。
【００２３】
次に、ベース部材１００の内部構造について、図３を参酌して詳しく説明する。
【００２４】
図３（ａ）は、ベース部材１００の上蓋体１１０の背面斜視図であり、上蓋体１１０の内側には、固定穴１１４が設けられた支柱１１５が４本設置されている。また、取付面側磁石１３０の側面を囲い支持する支持壁１１６が設けられている。
【００２５】
一方、図３（ｂ）は、ベース部材１００の下蓋体１２０の正面斜視図であり、下蓋体１２０は、突出形成された磁石用支柱１２２を有している。磁石用支柱１２２の先端１２３は、取付面側磁石１３０の上側側面を囲い、その背面側から取付面側磁石１３０を支える形状となっている。また、上蓋体１１０の支柱１１５の固定穴１１４に対応する位置に、４つの固定穴１２４が設けられている。
【００２６】
次に、分解された上蓋体１１０と下蓋体１２０を組み立ててベース部材１００を形成する場合には、まず、取付面側磁石１３０を上蓋体１１０の支持壁１１６と、下蓋体１２０の先端１２３とで挟み込む。そして、上蓋体１１０の固定穴１１４と下蓋体１２０の固定穴１２４とを、貫通するようにネジP等を螺合させ、上蓋体１１０と下蓋体１２０とを互いに固定する。
【００２７】
このようにして、上蓋体１１０と下蓋体１２０と組み立てて形成したベース部材１００のＸ―Ｘ軸（図２（ｂ））における断面図を、図３の（ｃ）に示す。取付面側磁石１３０は、傾斜面１１１の裏面側において、その周囲を支持壁１１６及び先端１２３により囲まれて支持されているのが分かる。
【００２８】
次に、図４（ａ）に、ハンディ端末用保持具３００の着脱部材２００の斜視図を示す。この着脱部材２００は、全体が、略円柱状であり、上蓋体２１０と下蓋体２２０から構成されている。上蓋体２１０は、その中央に、ベース部材１００の取付面１１７に取り付けられる着脱面２１７を有している。また、着脱部材２００全体は、ＡＢＳ樹脂（アクリロニトリル、ブタジエン、スチレン共重合合成樹脂）で形成されている。
【００２９】
では、次に、この着脱面２１７の形状について、図４（ｂ）の着脱部材２００の平面図、及び図４（ｃ）の着脱部材２００の側面図を参照して詳しく説明する。
【００３０】
着脱面２１７は、傾斜面２１１と平坦面２１２を有しており、傾斜面２１１の形状は、平面視するとY軸上の点Ｄを中心とした半径Ｒ３の円形形状をしている。この半径Ｒ３は、ベース部材１００の傾斜面１１１の半径Ｒ１と一致している。
【００３１】
また、傾斜面２１１の表面は、外縁部２１３から平坦面２１２に向けて滑らかに傾斜しており、その傾斜した表面は、傾斜面１１１の傾斜した表面と、互いに合致するように対応した形状となっている。なお、このY軸は、着脱部材２００を平面視した場合に、着脱部材２００の中心を通り、着脱部材２００の左側と右側とが対称となる対称軸である。
【００３２】
一方、平坦面２１２は、傾斜面２１１の円内であって、点Ｄから距離Ｌ３だけ離れたY軸上の点Ｅを中心とした、半径Ｒ４の円形形状をしている。この半径Ｒ４は、ベース部材１００の平坦面１１２の半径Ｒ２と一致し、ＤＥ間の距離Ｌ３は、ベース部材１００のＡＢ間の距離Ｌ１と等しい（図２（ｂ）参照）。
【００３３】
また、この平坦面２１２は、外縁部２１３より高い位置に、つまり、着脱部材２００の外側に突出している。なお、後述するが、傾斜面２１１の裏面側には、その中心がY軸上の点Ｆ（点Ｄから距離Ｌ４だけ離れている）に位置するように、着脱面側磁石２３０が内蔵されている。このＤＦ間の距離Ｌ４は、ベース部材１００のＡＣ間の距離Ｌ２と等しい（図２（ｂ）参照）。
【００３４】
このように、傾斜面２１１と平坦面２１２からなる着脱面２１７の全体形状は、外側へ滑らかに膨らむ凸状になっており、ベース部材１００の取付面１１７と対応した形状をしている。そして、ベース部材１００が着脱部材２００に取り付けられると、取付面１１７と着脱面２１７はぴったり一致することになる。
【００３５】
ここで、図２の（ｂ）と図４（ｂ）を参照して、取付面１１７と着脱面２１７がぴったり一致することについて、詳しく説明する。ベース部材１００のＸ軸と着脱部材２００のY軸とが一致するように、着脱部材２００がベース部材１００に取り付けられると、傾斜面１１１と傾斜面２１１とは、互いに対応した傾斜面で、同じ半径（Ｒ１＝Ｒ３）なので、互いの表面が、完全に合致する（一致する）。
【００３６】
同様に、平坦面１１２と平坦面２１２とは、互いに対応した平坦面で同じ半径（Ｒ２＝Ｒ４）なので、互いの表面が、完全に合致する（一致する）。そして、ベース部材１００のＡＢ間の距離Ｌ１と、着脱部材２００のＤＥ間の距離Ｌ３も等しい。したがって、取付面１１７と着脱面２１７の全体の表面が、完全に合致（一致）することになる。
【００３７】
また、この状態においては、取付面側磁石１３０と着脱面側磁石２３０の位置も一致していることから（ＡＣ＝ＤＦ）、取付面側磁石１３０と着脱面側磁石２３０の距離が最も近く、互いに引き合う磁力が最も強く働くことになる。
【００３８】
したがって、ベース部材１００のＸ軸と着脱部材２００のY軸とが一致するように、着脱部材２００がベース部材１００に取り付けられると、磁力によって、ハンディ端末Ｈをベース部材１００に容易に取り付けられると共に、その取り付けられた位置及び姿勢が安定的に保持されることになる。この状態を、本明細書では、正しい保持状態と呼ぶ。
【００３９】
また、図４（ｃ）、及び着脱部材２００の背面図を示す図４（ｄ）からわかるように、この下蓋体２２０の裏面２２１は、曲面となっており、ハンディ端末Ｈの持ち手部分の外面に取り付けやすくなっている。また、取付バンドＢの両端を固定するための固定穴２２５が設けられている。
【００４０】
次に、着脱部材２００の内部構造について、図５を参酌して詳しく説明する。図５（ａ）は、着脱部材２００の上蓋体２１０の背面斜視図である。上蓋体２１０の内側には、固定穴２１４が設けられた支柱２１５が設置されている。また、着脱面側磁石２３０を嵌め込むことが出来るように、窪み２１６が設けられている。
【００４１】
一方、図５（ｂ）は、着脱部材２００の下蓋体２２０の正面斜視図である。下蓋体２２０は、突出形成された磁石用支柱２２２を有しており、先端２２３は、着脱面側磁石２３０の背面を支える形状となっている。また、上蓋体２１０の支柱２１５の固定穴２１４に対応する位置に、固定穴２２４が設けられている。
【００４２】
次に、分解された上蓋体２１０と下蓋体２２０を組み立てて着脱部材２００を形成する場合には、まず、着脱面側磁石２３０を上蓋体２１０の窪み２１６に嵌め込み、着脱面側磁石２３０を背後から磁石用支柱２２２で支えるように、上蓋体２１０と下蓋体２２０とで挟み込む。そして、上蓋体２１０の固定穴２１４と下蓋体２２０の固定穴２２４とを、貫通するようにネジP等を螺合させ、上蓋体２１０と下蓋体２２０とを互いに固定する。
【００４３】
なお、着脱面側磁石２３０は、ベース部材１００に内蔵される取付面側磁石１３０と同じものを使用し、取付面側磁石１３０と互いに引き合う面（Ｎ極又はＳ極）に注意して、窪み２１６に嵌め込む必要がある。また、取付面側磁石１３０と着脱面側磁石２３０は、ハンディ端末Ｈの重さに耐えて、ハンディ端末Ｈを保持可能な程度の磁力を有する。
【００４４】
このようにして、上蓋体２１０と下蓋体２２０とを組み立てて形成した着脱部材２００のＹ―Ｙ軸（図４（ｂ））における断面図を、図５（ｃ）に示す。着脱面側磁石２３０は、傾斜面２１１の裏面側において、窪み２１６に嵌め込まれ、その背面を磁石用支柱２２２の先端２２３により支持されているのがわかる。
【００４５】
では、次に、ベース部材１００に着脱部材２００を取り付ける際に、それぞれに内蔵された取付面側磁石１３０及び着脱面側磁石２３０の磁力により、正しい保持状態となるように、ハンディ端末Ｈの位置及び姿勢を修正する機能について、図６を参照して説明する。
【００４６】
図６（ａ）は、壁面Ｗに固定されたベース部材１００の正面図、図６（ｂ）は、ハンディ端末Ｈに固定された着脱部材２００の正面図であり、これらの詳しい構成は、図２から図５で説明した構成と同じなので説明は省略する。
【００４７】
作業員が、ハンディ端末Ｈを使用しない場合に、ベース部材１００にハンディ端末Ｈを保持するためには、まず、ハンディ端末Ｈの着脱部材２００をベース部材１００に向き合うように宛がう。
【００４８】
なお、本実施例では、作業員がベース部材１００にハンディ端末Ｈの着脱部材２００を、始めから正しい保持状態となるように取り付けておらず、正しい保持状態からハンディ端末Ｈの位置及び姿勢がずれている場合を想定している。したがって、ハンディ端末Ｈがベース部材１００に宛がわれた際には、Ｘ軸とY軸が一致せず、着脱部材２００の平坦面２１２が、ベース部材１００の平坦面１１２ではなく、傾斜面１１１に接触している状態となる。
【００４９】
そして、この状態から、作業員がベース部材１００に向けてハンディ端末Ｈを押しつけると、着脱面２１７の突出した平坦面２１２は、内側へ窪んだ取付面１１７の傾斜面１１１上を、平坦面１１２に向けて、滑るように移動していく。
【００５０】
すると、平坦面２１２は平坦面１１２に突き当たり、それ以上、ハンディ端末Ｈを押しつけることが出来なくなる。その状態を、ハンディ端末Ｈの外側、つまり着脱部材２００が設けられていない側から見た状態を概念的に図６（ｃ）に示す。
【００５１】
図６（ｃ）では、ハンディ端末Ｈがベース部材１００に対して斜めに押し当てられた状態となっている。したがって、ベース部材１００のＸ軸と着脱部材２００のY軸は一致していない。また、平坦面２１２と平坦面１１２は、互いに一致する形状なので、重なっていることが分かる。
【００５２】
図６（ｃ）に示すように、ハンディ端末Ｈが斜めに取り付けられたままでは、正しい保持状態とは言えない。しかし、取付面側磁石１３０と着脱面側磁石２３０とが、磁力により互いに引き合うので、平坦面１１２と平坦面２１２を中心に、取付面側磁石１３０と着脱面側磁石２３０とが重なる位置まで（互いの磁石が最も強く引き合う位置まで）、ハンディ端末Ｈが回転する。
【００５３】
その結果、図６（ｄ）に示すように、ハンディ端末Ｈが正しい保持状態（Ｘ軸とY軸が重なる）へ、自動的に修正される。また、この正しい保持状態では、取付面１１７と着脱面２１７との表面が完全に合致するので、この正しい保持状態が維持されやすい。
【００５４】
上記のように、図６（ｃ）から（ｄ）における保持状態の修正過程においては、作業員は、ハンディ端末Ｈの位置及び姿勢を操作することなく、単にハンディ端末Ｈの平坦面２１２をベース部材１００の取付面１１７に向けて押しつけるだけで、ハンディ端末Ｈをベース部材１００に取り付けることができる。さらに、磁力によりハンディ端末Ｈが正しい保持状態（Ｘ軸とＹ軸が重なる）へ、自動的に修正される。
【００５５】
つまり、作業員は、ハンディ端末Ｈの位置及び姿勢を、従来のように細かく操作することなく、ハンディ端末Ｈを正しい保持状態で簡単に取り付けることができるのである。
【００５６】
なお、本考案のハンディ端末用保持具は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【産業上の利用可能性】
【００５７】
本考案のハンディ端末用保持具は、特定の物品を使用しない時に、その物品を他の物品へ、簡単かつ容易に、取り付けて保持することが要請される産業分野に利用することができる。
【図１】
0003181269.tif 000003
【図２】
0003181269.tif 000004
【図３】
0003181269.tif 000005
【図４】
0003181269.tif 000006
【図５】
0003181269.tif 000007
【図６】
0003181269.tif 000008